【手続補正書】
【提出日】平成24年10月23日(2012.10.23)
【手続補正１】
【補正対象書類名】明細書
【補正対象項目名】発明の名称
【補正方法】変更
【補正の内容】
【発明の名称】文書プレビュー方法、媒体及び文書プレビュー装置
【手続補正２】
【補正対象書類名】明細書
【補正対象項目名】０００１
【補正方法】変更
【補正の内容】
【０００１】
本発明は印刷の分野に関し、特に、コピー保護機能に基づき、地紋（ｔｉｎｔ−ｂｌｏｃｋ）を使用して文書をプレビューする文書プレビュー方法、この文書プレビュー方法の工程を実行するコンピュータにより読取可能な媒体及び文書プレビュー装置に関する。
【手続補正３】
【補正対象書類名】明細書
【補正対象項目名】０００８
【補正方法】変更
【補正の内容】
【０００８】
開示される実施形態に従って、コピー保護オーバーレイパターンを伴った文書をプレビューする装置、システム及び方法が提示される。一部の実施形態では、コピー保護オーバーレイパターンを伴った文書プレビュー方法は、表示手段を備え、当該表示手段に文書のプレビューを表示可能な装置によって実行される文書プレビュー方法であって、複数のコピー保護テンプレートのうちの１つを文書と関連づける工程と、ユーザインタフェースを介して選択可能な複数のオプションのうちの１つを用いて、前記文書を前記関連付けられたコピー保護テンプレートと共に前記表示手段に表示する工程であって、前記関連付けられたコピー保護テンプレートに対応する画像を前記文書の少なくとも１ページ分の画像と混合することによって表示される前記文書を表示する工程と、を有し、前記オプションは、前記関連付けられたコピー保護テンプレートとともに前記文書を印刷した印刷文書のプレビューである印刷プレビューを表示する印刷プレビューオプションと、前記印刷文書を複製した複製文書のプレビューであるコピープレビューを表示するコピープレビューオプションと、を含んでいる。
また、一部の実施形態では、文書プレビュー装置は、表示手段と、複数のコピー保護テンプレートのうちの１つを文書と関連付ける手段と、ユーザインタフェースを介して選択可能な複数のオプションのうちの１つを用いて、前記関連付けられたコピー保護テンプレートに対応する画像を前記文書の少なくとも１ページ分の画像と混合することによって、前記文書を、前記関連付けられたコピー保護テンプレートと共に前記表示手段に表示する表示制御手段とを備え、前記オプションは、前記関連付けられたコピー保護テンプレートとともに前記文書を印刷した印刷文書のプレビューである印刷プレビューを表示する印刷プレビューオプションと、前記印刷文書を複製した複製文書のプレビューであるコピープレビューを表示するコピープレビューオプションと、を含んでいる。
【手続補正４】
【補正対象書類名】明細書
【補正対象項目名】０００９
【補正方法】変更
【補正の内容】
【０００９】
また、本発明の実施形態は、コンピュータにより読取可能な媒体を用いて、プロセッサにより作成、記憶又は修正された、ソフトウェア、ファームウェア及びプログラム命令に関連している。記載された方法は、コンピュータ及び／又は印刷デバイスを含むシステムによって実行されうる。更に、これらの又は他の実施形態は、下記の図面に関して以下に説明される。
【手続補正５】
【補正対象書類名】特許請求の範囲
【補正対象項目名】全文
【補正方法】変更
【補正の内容】
【特許請求の範囲】
【請求項１】
表示手段を備え、当該表示手段に文書のプレビューを表示可能な装置によって実行される文書プレビュー方法であって、
複数のコピー保護テンプレートのうちの１つを文書と関連づける工程と、
ユーザインタフェースを介して選択可能な複数のオプションのうちの１つを用いて、前記文書を前記関連付けられたコピー保護テンプレートと共に前記表示手段に表示する工程であって、前記関連付けられたコピー保護テンプレートに対応する画像を前記文書の少なくとも１ページ分の画像と混合することによって表示される前記文書を表示する工程と、
を有し、
前記オプションは、
前記関連付けられたコピー保護テンプレートとともに前記文書を印刷した印刷文書プレビューである印刷プレビューを表示する印刷プレビューオプションと、
前記印刷文書を複製した複製文書のプレビューであるコピープレビューを表示するコピープレビューオプションと、
を含むことを特徴とする文書プレビュー方法。
【請求項２】
前記文書が印刷媒体に印刷される前に、前記文書がプレビューされることを特徴とする請求項１に記載の方法。
【請求項３】
前記コピー保護テンプレートはドキュメントレイヤとして記憶されることを特徴とする請求項１又は２に記載の方法。
【請求項４】
前記複数のコピー保護テンプレートのうちの１つを前記文書と関連づける工程は、アイコンが選択された指示をユーザインタフェースから受け付ける工程を更に含み、前記アイコンは選択された前記コピー保護テンプレートにおけるパターンの視覚的表示を提供することを特徴とする請求項１〜３いずれか一項に記載の方法。
【請求項５】
前記方法は、文書処理ソフトウェアを用いて呼び出されることを特徴とする請求項１〜４いずれか一項に記載の方法。
【請求項６】
前記方法は、前記装置に接続されたプリンタに接続されたコンソールから呼び出されることを特徴とする請求項１〜５いずれか一項に記載の方法。
【請求項７】
前記方法は、前記装置に関連するユーザインタフェースから呼び出されることを特徴とする請求項１〜５いずれか一項に記載の方法。
【請求項８】
前記コピー保護テンプレートは、ビットマップ画像として前記装置に保存されることを特徴とする請求項１〜７いずれか一項に記載の方法。
【請求項９】
前記コピー保護テンプレートは、文書処理ソフトウェアに関連するユーザインタフェースを用いて前記文書と関連づけられることを特徴とする請求項１〜８いずれか一項に記載の方法。
【請求項１０】
前記少なくとも１つのコピー保護テンプレートを前記文書と関連づける工程は、前記文書の文書属性を用いて前記文書に関連する前記コピー保護テンプレートを識別する工程を更に含むことを特徴とする請求項１〜９いずれか一項に記載の方法。
【請求項１１】
命令を記憶するコンピュータにより持続的に読取可能な媒体であって、プロセッサにより実行される際に、
複数のコピー保護テンプレートのうちの１つを文書と関連づける工程と、
ユーザインタフェースを介して選択可能な複数のオプションのうちの１つを用いて、前記文書を前記関連付けられたコピー保護テンプレートと共に表示手段に表示する工程であって、前記関連付けられたコピー保護テンプレートに対応する画像を前記文書の少なくとも１ページ分の画像と混合することによって表示される前記文書を表示する工程と、
を有し、
前記オプションは、
前記関連付けられたコピー保護テンプレートとともに前記文書を印刷した印刷文書のプレビューである印刷プレビューを表示する印刷プレビューオプションと、
前記印刷文書を複製した複製文書のプレビューであるコピープレビューを表示するコピープレビューオプションと、
を含む文書プレビュー方法の工程を実行することを特徴とするコンピュータにより持続的に読取可能な媒体。
【請求項１２】
前記文書が印刷媒体に印刷される前に、前記文書がプレビューされることを特徴とする請求項１１に記載のコンピュータにより読取可能な媒体。
【請求項１３】
前記コピー保護テンプレートはドキュメントレイヤとして記憶されることを特徴とする請求項１１又は１２に記載のコンピュータにより読取可能な媒体。
【請求項１４】
前記複数のコピー保護テンプレートのうちの１つを前記文書と関連づける工程は、アイコンが選択された指示をユーザインタフェースから受け付ける工程を更に含み、前記アイコンは選択された前記コピー保護テンプレートにおけるパターンの視覚的表示を提供することを特徴とする請求項１１〜１３いずれか一項に記載のコンピュータにより読取可能な媒体。
【請求項１５】
前記方法は、文書処理ソフトウェアを用いて呼び出されることを特徴とする請求項１１〜１４いずれか一項に記載のコンピュータにより読取可能な媒体。
【請求項１６】
前記方法は、プリンタに接続されたコンソールから呼び出されることを特徴とする請求項１１〜１５いずれか一項に記載のコンピュータにより読取可能な媒体。
【請求項１７】
前記方法は、プリンタドライバソフトウェアに関連するユーザインタフェースから呼び出されることを特徴とする請求項１１〜１５いずれか一項に記載のコンピュータにより読取可能な媒体。
【請求項１８】
表示手段と、
複数のコピー保護テンプレートのうちの１つを文書と関連付ける手段と、
ユーザインタフェースを介して選択可能な複数のオプションのうちの１つを用いて、前記関連付けられたコピー保護テンプレートに対応する画像を前記文書の少なくとも１ページ分の画像と混合することによって、前記文書を、前記関連付けられたコピー保護テンプレートと共に前記表示手段に表示する表示制御手段とを備え、
前記オプションは、
前記関連付けられたコピー保護テンプレートとともに前記文書を印刷した印刷文書のプレビューである印刷プレビューを表示する印刷プレビューオプションと、
前記印刷文書を複製した複製文書のプレビューであるコピープレビューを表示するコピープレビューオプションと、
を含むことを特徴とする文書プレビュー装置。